(57)【特許請求の範囲】
【請求項１】
利用者が入力操作を行う際に、設置面上に横置き状態で置かれて使用される入力装置であって、
前記入力装置を前記設置面上に横置き状態で置いた場合に上方に面する上面を有した筐体と、
前記筐体の前記上面に設けられ、利用者が入力操作を行うための入力部と、
前記筐体に対して固定された状態で前記筐体の前記上面から突出して設けられ、前記入力部を用いた入力操作を第三者に対して隠すためのカザシ部と、
前記横置き状態とは異なる縦置き状態で前記入力装置を置いた際に、前記設置面に接触するための縦置き用脚部であって、互いに離れて設けられる複数の縦置き用脚部と、
を備え、
前記複数の縦置き用脚部の少なくとも２つは、前記カザシ部に設けられていることを特徴とする入力装置。
【請求項２】
前記入力装置を前記縦置き状態で置いて鉛直方向に見た場合、前記複数の縦置き用脚部の各最外点を結んで規定される領域の内側に、前記入力装置の重心が位置するように、前記複数の縦置き用脚部が設けられていることを特徴とする請求項１に記載の入力装置。
【請求項３】
前記入力装置を前記縦置き状態で置いて鉛直方向に見た場合の、前記入力装置の投影面積は、前記入力装置を前記横置き状態で置いて鉛直方向に見た場合の、前記入力装置の投影面積よりも小さいことを特徴とする請求項１または請求項２に記載の入力装置。
【請求項４】
前記複数の縦置き用脚部は、前記入力装置を前記横置き状態で置き前記入力部を用いて利用者が入力操作を行う場合に、利用者から見て手前側に位置する前記入力装置の手前側部分に設けられていることを特徴とする請求項１乃至請求項３のいずれか１項に記載の入力装置。
【請求項５】
前記筐体は、前記入力装置を前記横置き状態で置いて上方から見た場合に、縦方向の寸法が、前記縦方向に直交する横方向の寸法よりも長い、縦長の形状を有し、
前記縦方向は、前記入力装置を前記横置き状態で置き前記入力部を用いて利用者が入力操作を行う場合に、利用者から見て手前側から奥側に向けた方向であることを特徴とする請求項４に記載の入力装置。
【請求項６】
前記筐体は、前記入力装置を前記横置き状態で置いた場合に、前記設置面側に面する底面を有し、
前記縦置き状態で前記入力装置を置いた際には、前記縦置き用脚部が前記設置面に接触し、前記筐体の前記底面と前記設置面とが所定の角度を成し、
前記筐体の前記底面と前記設置面との間の所定の角度は、４５°〜７５°であることを特徴とする請求項１乃至請求項５のいずれか１項に記載の入力装置。
【請求項７】
前記カザシ部の前記縦置き用脚部には、滑り止め部材が取り付けられていることを特徴とする請求項１乃至請求項６のいずれか１項に記載の入力装置。
【請求項８】
前記カザシ部は、前記入力装置を前記横置き状態で置き前記入力部を用いて利用者が入力操作を行う場合に、利用者側から見て前記入力部の左右両側に配置される一対のサイド部を有し、
前記一対のサイド部には、前記縦置き用脚部がそれぞれ設けられていることを特徴とする請求項１乃至請求項７のいずれか１項に記載の入力装置。
【請求項９】
前記筐体には、２つの突出部が設けられ、
前記筐体の前記２つの突出部が、前記縦置き用脚部として機能することを特徴とする請求項１乃至請求項８のいずれか１項に記載の入力装置。
【発明の詳細な説明】
【技術分野】
【０００１】
本発明は、入力装置に関し、特に、暗証番号入力用の入力装置に関する。
【背景技術】
【０００２】
従来、利用者が入力操作を行うための入力キーと、入力キーの周辺に設けられ入力キーを用いた入力操作を第三者に対して隠すための遮蔽カバーとを備える暗証番号入力装置が知られている（特許文献１参照。）。
【先行技術文献】
【特許文献】
【０００３】
【特許文献１】特開２０１１−０２８５０８号公報
【発明の概要】
【発明が解決しようとする課題】
【０００４】
ところが、特許文献１に記載されるような入力装置は、様々な機器や商品等が置かれるレジ付近に設置されるため、不使用時、入力装置を置く設置面上における入力装置の専有面積の低減に対する要望があった。
【０００５】
そこで、本発明は、従来の問題を解決するものであって、すなわち、本発明の目的は、不使用時の設置面上における専有面積を低減することが可能な入力装置を提供することである。
【課題を解決するための手段】
【０００６】
本発明の入力装置は、利用者が入力操作を行う際に、設置面上に横置き状態で置かれて使用される入力装置であって、前記入力装置を前記設置面上に横置き状態で置いた場合に上方に面する上面を有した筐体と、前記筐体の前記上面に設けられ、利用者が入力操作を行うための入力部と、前記筐体に対して固定された状態で前記筐体の前記上面から突出して設けられ、前記入力部を用いた入力操作を第三者に対して隠すためのカザシ部と、前記横置き状態とは異なる縦置き状態で前記入力装置を置いた際に、前記設置面に接触するための縦置き用脚部であって、互いに離れて設けられる複数の縦置き用脚部と、を備え、前記複数の縦置き用脚部の少なくとも２つは、前記カザシ部に設けられていることにより、前述した課題を解決したものである。
【発明の効果】
【０００７】
本発明では、入力操作を第三者に対して隠すために必要とされるカザシ部に設けられた縦置き用脚部を利用して、設置面上に入力装置を縦置き状態で置くことができるため、構造を複雑にすることなく、不使用時の設置面上における入力装置の専有面積を低減できる。
【図面の簡単な説明】
【０００８】
【図１】本発明の一実施形態である入力装置を示す斜視図である。
【図２】設置面上に入力装置を横置き状態で置いた様子を示す斜視図である。
【図３】図２に示す状態を側方から見て示す平面図である。
【図４】設置面上に入力装置を縦置き状態で置いた様子を示す斜視図である。
【図５】図４に示す状態を側方から見て示す平面図である。
【図６】設置面上に入力装置を縦置き状態で置いた時に、鉛直方向に見た場合の、縦置き用脚部と入力装置の重心との位置関係を示す説明図である。
【発明を実施するための形態】
【０００９】
以下、本発明の一実施例である入力装置を図面に基づいて説明する。
【００１０】
なお、以下の説明においては、特段の説明がない限り、入力装置を設置面上に横置き状態で置いた場合を基準として、「上面」、「底面」、「上方」、「下方」の用語を用いている。また、入力装置を設置面上に横置き状態で置いて利用者が入力部を用いて入力操作を行う際における、利用者の視点を基準として、「手前側」、「奥側」、「側部」の用語を用いている。
【実施例】
【００１１】
入力装置１０は、レジ付近の支払いカウンタ等に置かれ、ＩＣチップ付きクレジットカードで商品を購入する際に、利用者（顧客）が暗証番号を入力するために用いられる暗証番号入力用の入力装置として構成されている。なお、入力装置１０を用いて入力される情報は、暗証番号には限定されない。
【００１２】
入力装置１０は、図１乃至図３に示すように、各種電子部品（図示しない）等を収容する筐体２０と、筐体２０の上面２１に配置される入力部３０と、筐体２０の上面２１に配置される表示部４０と、入力部３０および表示部４０の周囲に設けられるカザシ部５０と、ＩＣカード挿入部７０と、周辺機器（ＰＯＳ端末や決済端末等）との接続部８０とを備えている。
【００１３】
筐体２０は、合成樹脂等から成り、図３に示すように、入力装置１０を設置面９０上に横置き状態で置いた場合に、上方に面する上面２１と、下方（設置面９０側）に面する底面（下面）２２と、利用者から見て、手前側に位置する手前側部分２３と、奥側に位置する奥側部分２４とを有している。
【００１４】
筐体２０の手前側部分２３には、図１乃至図３に示すように、手前側に向けて突出する２つの突出部が設けられている。この２つの突出部は、図４や図５に示すように、入力装置１０を縦置き状態で置いた際に設置面９０に接触し入力装置１０を支持するための縦置き用脚部２５として機能する。
【００１５】
筐体２０は、図１や図３から分かるように、横置き状態で入力装置１０を置いた際において、上方から見た場合に、筐体２０の手前側部分２３から奥側部分２４に向けた縦方向（図１における右下から左上に向けた方向）の寸法が、縦方向に直交する横方向（図１における左下から右上に向けた方向）の寸法よりも長い、縦長の形状を有している。
【００１６】
入力部３０は、図１に示すように、入力テンキーとして構成されている。なお、入力部３０の具体的態様は、利用者が入力操作を行うことが可能なものであれば如何なるものでもよく、例えば、タッチパネルでもよい。また、表示部４０は、図１に示すように、各種情報を表示するディスプレイとして構成されている。
【００１７】
カザシ部５０は、合成樹脂等から成り、図１や図３に示すように、筐体２０の上面２１から上方に向けて突出して設けられ、利用者による入力部３０を用いた入力操作や表示部４０の表示内容を、第三者に対して隠すための部位である。
【００１８】
カザシ部５０は、図１に示すように、入力部３０の周囲に形成され、具体的には、入力部３０の奥側と左右側部とに形成されている。また、カザシ部５０は、図１に示すように、表示部４０の周囲に形成され、具体的には、表示部４０の手前側と奥側と左右側部とに形成されている。
【００１９】
カザシ部５０は、筐体２０に対して固定状態で設けられている。なお、カザシ部５０は、筐体２０と一体に設けられてもよく、筐体２０とは別体に設けられ筐体２０に取り付けられてもよい。
【００２０】
カザシ部５０は、図１に示すように、入力部３０および表示部４０の左右両側部に配置される一対のサイド部５１を有している。これら一対のサイド部５１のうち、利用者から見て手前側に位置する手前側部分５２の一部は、図４や図５に示すように、入力装置１０を縦置き状態で置いた際に設置面９０に接触し入力装置１０を支持するための縦置き用脚部５３として機能する。
【００２１】
カザシ部５０の縦置き用脚部５３には、図１に示すように、滑り止め部材６０が取り付けられている。この滑り止め部材６０は、入力装置１０を縦置き状態で置いた場合の縦置き用脚部５３の滑り止めとして機能する部材である。また、この滑り止め部材６０は、例えば入力装置１０を横置き状態から縦置き状態に動かす際において、設置面９０と縦置き用脚部５３との衝突によって縦置き用脚部５３に加わる衝撃を吸収する役割も担う。なお、本実施形態では、滑り止め部材６０は、ゴムから構成されているが、具体的な素材についてはこれに限定されない。また、この滑り止め部材６０を設けなくてもよい。
【００２２】
ＩＣカード挿入部７０は、図１や図３から分かるように、筐体２０の手前側部分２３に設けられている。接続部８０は、図１や図３から分かるように、筐体２０の奥側部分２４に設けられている。
【００２３】
次に、入力装置１０の使用態様について、図２乃至図５に基づいて、以下に説明する。
【００２４】
まず、利用者が入力部３０を用いて入力操作を行う際には、入力装置１０は、設置面９０上に横置き状態で置かれる。この入力装置１０の横置き状態では、図２や図３から分かるように、筐体２０の底面２２と設置面９０とが対向し、入力部３０が上方に向いた状態になる。
【００２５】
一方、入力装置１０を使用しない時には、入力装置１０を設置面９０上に縦置き状態で置くことができる。
【００２６】
この入力装置１０を設置面９０上に縦置き状態で置いた場合には、図４や図５から分かるように、筐体２０の２つの縦置き用脚部２５と、カザシ部５０の２つの縦置き用脚部５３とが、設置面９０に対して点状（厳密には面状）に接触する。
【００２７】
この入力装置１０を設置面９０上に縦置き状態で置いた場合には、図５に示すように、筐体２０の底面２２と設置面９０とが所定角度αを成した状態で、設置面９０上で入力装置１０が自立するようになっている。
【００２８】
具体的には、図６に示すように、入力装置１０を縦置き状態で置いた場合において、鉛直方向に見た場合には、各縦置き用脚部２５、５３の最外点を結んで規定される領域Ｒの内側に、入力装置１０の重心１１が位置するように、各縦置き用脚部２５、５３が設けられ、これにより、設置面９０上で入力装置１０が自立する。
【００２９】
また、前述した筐体２０の底面２２と設置面９０との間の所定角度αは、図５に示すように、６０°で設定されている。この所定角度αは、６０°であることが好ましいが、６０°からプラスマイナス１５°（すなわち、４５°〜７５°）で設定してもよい。
【００３０】
この縦置き状態で入力装置１０を置いた場合における、鉛直方向に見た入力装置１０の投影面積は、入力装置１０を横置き状態で置いた場合における、鉛直方向に見た入力装置１０の投影面積よりも小さい。
【００３１】
このようにして得られた本実施形態では、入力装置１０の不使用時には、入力操作を第三者に対して隠すために必要とされるカザシ部５０に設けられた縦置き用脚部５３を利用して、設置面９０上に入力装置１０を縦置き状態で置くことができるため、構造を複雑にすることなく、設置面９０上における入力装置１０の専有面積を低減できる。
【００３２】
また、縦置き用脚部２５、５３を互いに離れて複数設けることにより、設置面９０に多少の凹凸等がある場合であっても、安定した入力装置１０の縦置き姿勢を実現できる。
【００３３】
なお、上述した実施形態では、筐体に２つの縦置き用脚部が設けられ、カザシ部に２つの縦置き用脚部が設けられ、合計４つの縦置き用脚部が設けられるものとして説明した。しかしながら、縦置き用脚部の設置箇所や個数はこれに限定されず、複数の縦置き用脚部の少なくとも２つがカザシ部に設けられ、安定した入力装置の縦置き状態を実現するものであれば如何なるものでもよい。例えば、筐体の縦置き用脚部は１つでもよく、また、筐体には縦置き用脚部を設けずに複数の縦置き用脚部を全てカザシ部に設けてもよい。
【符号の説明】
【００３４】
１０  ・・・  入力装置
１１  ・・・  入力装置の重心
２０  ・・・  筐体
２１  ・・・  上面
２２  ・・・  底面
２３  ・・・  手前側部分
２４  ・・・  奥側部分
２５  ・・・  縦置き用脚部
３０  ・・・  入力部
４０  ・・・  表示部
５０  ・・・  カザシ部
５１  ・・・  サイド部
５２  ・・・  手前側部分
５３  ・・・  縦置き用脚部
６０  ・・・  滑り止め部材
７０  ・・・  ＩＣカード挿入部
８０  ・・・  接続部
９０  ・・・  設置面
【要約】
【課題】不使用時の設置面上における専有面積を低減することが可能な入力装置を提供すること。
【解決手段】利用者が入力操作を行う際に、設置面９０上に横置き状態で置かれて使用される入力装置１０であって、入力装置１０を設置面９０上に横置き状態で置いた場合に上方に面する上面２１を有した筐体２０と、筐体２０の上面２１に設けられ、利用者が入力操作を行うための入力部３０と、筐体２０に対して固定された状態で筐体２０の上面２１から突出して設けられ、入力部３０を用いた入力操作を第三者に対して隠すためのカザシ部５０と、横置き状態とは異なる縦置き状態で入力装置１０を置いた際に、設置面９０に接触するための縦置き用脚部２５、５３であって、互いに離れて設けられる複数の縦置き用脚部２５、５３と、を備え、複数の縦置き用脚部２５、５３の少なくとも２つは、カザシ部５０に設けられている入力装置１０。
【選択図】図４【図１】
0005459805.tif 000002
【図２】
0005459805.tif 000003
【図３】
0005459805.tif 000004
【図４】
0005459805.tif 000005
【図５】
0005459805.tif 000006
【図６】
0005459805.tif 000007